(57)【要約】【課題】  本発明は、ショートカットキーを用いて設定値が設定したのち、リセット指示で設定項目にデフォルト値を設定したときに、一部の設定項目の設定値を改めて設定する手間を抑制するとする。【解決手段】  本発明は、設定画面を表示する表示手段と、ジョブ実行手段と、リセット指示を受け付けて前記複数の設定項目のすべてにデフォルト値を設定するリセット手段と、前記複数の設定項目のうち所定の設定項目と設定値とをショートカットキーに対応づけて記憶する記憶手段と、前記ショートカットキーに対応づけて記憶された前記設定値が前記所定の設定項目に設定された状態の前記設定画面を表示することが可能なジョブ実行装置であって、前記リセット手段は、前記ショートカットキーの選択を受け付けたのち前記リセット指示を受け付けて、一部の設定項目を除いた設定項目にデフォルト値を設定することを特徴とする。【選択図】  図７
2019077060.tif 000002
【特許請求の範囲】
【請求項１】
ジョブに関する複数の設定項目それぞれに設定値を設定するための設定画面を表示する表示手段と、
前記設定画面を介して設定された設定値を用いて、ジョブを実行するジョブ実行手段と、
ユーザからリセット指示を受け付けて、前記設定画面における前記複数の設定項目のすべてにデフォルト値を設定するリセット手段と、
前記複数の設定項目のうち所定の設定項目と、前記所定の設定項目に設定される設定値とを、ショートカットキーに対応づけて記憶する記憶手段と、
前記ショートカットキーの選択を受け付けて、前記ショートカットキーに対応づけて記憶された前記設定値が前記所定の設定項目に設定された状態の前記設定画面を表示することが可能なジョブ実行装置であって、
前記リセット手段は、前記ショートカットキーの選択を受け付けて前記設定画面が表示されている間に前記リセット指示を受け付けて、前記複数の設定項目のうち一部の設定項目を除いた設定項目にデフォルト値を設定することを特徴とするジョブ実行装置。
【請求項２】
前記一部の設定項目は前記所定の設定項目を含み、
前記リセット手段は、前記ショートカットキーの選択を受け付けて表示された前記設定画面が表示されている間に前記リセット指示を受け付けて、前記記憶手段に記憶された前記設定値を前記所定の設定項目に設定することを特徴とする請求項１に記載のジョブ実行装置。
【請求項３】
前記記憶手段は、前記複数の設定項目のそれぞれについて、デフォルト値を記憶することを特徴とする請求項１または２に記載のジョブ実行装置。
【請求項４】
前記記憶手段は、前記ショートカットキーの選択を受け付けて表示された前記設定画面の表示されている間に前記リセット指示を受け付けた場合にデフォルト値を設定する設定項目から除かれる一部の設定項目を記憶することを特徴とする請求項１乃至３のいずれか一項に記載のジョブ実行装置。
【請求項５】
前記一部の設定項目は、前記所定の設定項目と異なる他の設定項目を含むことを特徴とする請求項１乃至４のいずれか一項に記載のジョブ実行装置。
【請求項６】
前記表示手段は、複数の機能から使用する機能を選択する機能選択画面を表示し、
前記機能選択画面において前記ショートカットキーが選択されたことに従って、前記
他の設定項目を設定する画面を表示することを特徴とする請求項５に記載のジョブ実行装置。
【請求項７】
前記記憶手段は、前記他の設定項目を設定する前記画面において設定された設定値を記憶することを特徴とする請求項６に記載の画像形成装置。
【請求項８】
前記リセット手段は、前記ショートカットキーの選択を受け付けて表示された前記設定画面が表示されている間に前記リセット指示を受け付けて、前記他の設定項目に前記記憶手段に記憶された設定値を設定することを特徴とする請求項７に記載のジョブ実行装置。
【請求項９】
前記ショートカットキーの選択を受け付けて表示された前記設定画面の表示されている間に前記リセット指示を受け付けて、前記所定の設定項目、および、前記他の設定項目に設定されている設定値が前記記憶手段に記憶された設定値と同じであるか否かを判定する判定手段をさらに有し、
前記リセット手段は、前記所定の設定項目、および、前記他の設定項目に設定されている設定値が前記記憶手段に記憶された設定値と同じであるという判定に従って、前記所定の設定項目、および、前記他の設定項目にデフォルト値を設定することを特徴とする請求項５乃至８のいずれか一項に記載のジョブ実行装置。
【請求項１０】
前記表示手段は、前記判定手段による判定が前記所定の設定項目、および、前記他の設定項目に設定されている設定値が前記記憶手段に記憶された設定値と同じであるという判定である場合、前記複数の設定項目の全てにデフォルト値を設定するか否かユーザに問い合わせる画面を表示することを特徴とする請求項９に記載のジョブ実行装置。
【請求項１１】
前記一部の設定項目は、ページ集約、両面設定、倍率、用紙サイズの少なくともいずれかを含むことを特徴とする請求項１乃至１０のいずれか一項に記載のジョブ実行装置。
【請求項１２】
原稿上の画像を読み取り画像データを生成する読取手段と、
画像データから生成される画像を用紙に印刷する印刷手段をさらに有し、
前記ジョブ実行手段は、少なくとも前記読取手段または前記印刷手段の一方を用いてジョブを実行することを特徴とする請求項１乃至１１のいずれか一項に記載のジョブ実行装置。
【請求項１３】
前記所定の設定項目は、前記読取手段により原稿上の画像を読み取る大きさを設定する設定項目を含むことを特徴とする請求項１２に記載のジョブ実行装置。
【請求項１４】
前記読取手段により原稿上の画像を読み取る大きさを設定する設定項目の設定値は、前記画像の印刷に用いられる定型の用紙サイズと異なることを特徴とする請求項１３に記載のジョブ実行装置。
【請求項１５】
前記記憶手段は、前記複数の設定項目のそれぞれが、前記リセット指示に従ってデフォルト値に設定される設定項目であるか否かを示すテーブルを記憶することを特徴とする請求項１乃至１４のいずれか一項に記載のジョブ実行装置。
【請求項１６】
前記ショートカットキーは、所定の大きさの原稿を複数読み取ることで得られる画像を、１枚の用紙に集約して印刷するためのショートカットキーであることを特徴とする請求項１乃至１５のいずれか一項に記載のジョブ実行装置。
【請求項１７】
ジョブに関する複数の設定項目それぞれに設定値を設定するための設定画面を表示手段に表示させる所定の表示工程と、
前記表示手段に表示された前記設定画面を介して、設定された設定値を用いてジョブを実行する実行工程と、
ユーザによるリセット指示を受け付けて、前記設定画面に表示される全ての設定項目にデフォルト値を設定する所定のリセット工程と、
前記複数の設定項目のうち、所定の設定項目と前記設定値がショートカットキーに対応づけて記憶された記憶手段から、ユーザによる当該ショートカットキーの選択を受け付けて前記所定の設定項目に前記設定値が設定された前記設定画面を前記表示手段に表示させる第２の表示工程とを有するジョブ実行装置の制御方法であって、
前記ショートカットキーの選択を受け付けて表示される前記設定画面が表示されている間に前記リセット指示を受け付けた場合にデフォルト値に設定される設定項目から除かれる一部の設定項目を前記記憶手段に記憶する記憶工程と、
前記ショートカットキーの選択を受け付けて表示される前記設定画面の表示されている間にリセット指示に従って、前記複数の設定項目のうち前記一部の設定項目を除いた設定項目の設定値をデフォルト値に設定する第２のリセット工程と、を有することを特徴とするジョブ実行装置の制御方法。
【請求項１８】
前記一部の設定項目は前記所定の設定項目を含み、
前記第２のリセット工程において、前記ショートカットキーの選択を受け付けて表示される前記設定画面が表示されている間にリセット指示を受け付けて、前記設定項目の設定値を前記記憶手段に前記ショートカットと対応づけて記憶された設定値に設定することを特徴とする請求項１７に記載のジョブ実行装置の制御方法。
【請求項１９】
前記第２の表示工程において、前記ショートカットキーの選択を受け付けて、前記一部の設定項目のうち、前記所定の設定項目と異なる他の設定項目を設定する画面を前記表示手段に表示し、
前記記憶工程において、前記他の設定項目を設定する画面を介して設定された設定値を前記記憶手段に記憶し、
前記第２のリセット工程において、前記ショートカットキーの選択を受け付けて表示される前記設定画面が表示されている間に前記リセット指示に従って、前記他の設定項目に前記記憶手段に記憶された設定値を記憶することを特徴とする請求項１８に記載のジョブ実行装置の制御方法。
【請求項２０】
請求項１７に記載のジョブ実行装置の制御方法をコンピュータに実現させるためのコンピュータプログラム。
【発明の詳細な説明】
【技術分野】
【０００１】
本発明は、ジョブ実行装置とジョブ実行装置の制御方法ならびにプログラムに係る発明である。
【背景技術】
【０００２】
コピーやスキャンなど様々な機能を有するジョブ実行装置では、コピーやスキャンをするときに、ユーザが原稿の読取設定や、印刷設定を行う。そして、設定された読取設定や印刷設定に従って、ジョブ実行装置がスキャンジョブやコピージョブを実行する。
【０００３】
上記のようなジョブ実行装置では、ユーザが使用する機能を選択すると、各設定項目に予め決められたデフォルト値が設定された設定画面が操作部に表示される。そして、ユーザが当該設定画面を介して各設定項目に使用したい設定値を設定しスタートキーを操作する。ジョブ実行装置はスタートキーが操作されたことに従って、ジョブの実行を開始する。ユーザが設定値を設定しているときに、間違った設定値を設定したり、それまでに設定した設定値と異なる設定値を設定したい場合、各設定項目の設定値をデフォルト値に戻すリセット指示をユーザがすると、全ての設定項目にデフォルト値が設定される。
【０００４】
ところで、ある場面でよく用いられる設定を呼び出すためのショートカットキーを操作部に表示するジョブ実行装置がある。このようなジョブ実行装置では、ユーザがショートカットキーを選択すると、ショートカットキーに対応づけられた設定値が設定された設定画面が操作部に表示される（特許文献１）。たとえば、パスポートの写しをとるために、原稿の読取サイズをパスポートの見開きサイズに設定するショートカットキーがある。
【先行技術文献】
【特許文献】
【０００５】
【特許文献１】特開２００４−２８０４９２号公報
【発明の概要】
【発明が解決しようとする課題】
【０００６】
ショートカットキーを用いて設定値を設定するとき、ユーザが頻繁に追加で設定値を設定する設定項目がある。たとえば、パスポートの写しをとるためのショートカットキーでは、１枚の用紙にパスポートの見開きが複数ページ印刷できるようページ集約設定や両面設定が追加でされることがある。
【０００７】
ユーザはショートカットキーを用いて設定値を設定した後、上記のような設定項目に設定値を設定し、さらにその他の設定項目に設定値を設定する。その他の設定項目に設定値を設定しているとき、ユーザがリセット指示をすると、当該ショートカットキーを用いて設定した設定項目や、当該ショートカットキーを用いたときに頻繁に設定される設定項目までデフォルト値に設定されてしまう。そのため、当該ショートカットキーを用いて設定した設定項目や当該ショートカットキーを用いたときに設定される設定項目について、ユーザがリセット指示をした後に改めて設定値を設定しなくてはならない。
【０００８】
本発明は、ショートカットキーを用いて設定値を設定したのち、リセット指示で設定項目にデフォルト値を設定したときに、一部の設定項目の設定値を改めて設定する手間を抑制することを目的とする。
【課題を解決するための手段】
【０００９】
本発明に記載の画像形成装置は、ジョブに関する複数の設定項目それぞれに設定値を設定するための設定画面を表示する表示手段と、前記設定画面を介して設定された設定値を用いて、ジョブを実行するジョブ実行手段と、ユーザからリセット指示を受け付けて、前記設定画面における前記複数の設定項目のすべてにデフォルト値を設定するリセット手段と、前記複数の設定項目のうち所定の設定項目と、前記所定の設定項目に設定される設定値とを、ショートカットキーに対応づけて記憶する記憶手段と、前記ショートカットキーの選択を受け付けて、前記ショートカットキーに対応づけて記憶された前記設定値が前記所定の設定項目に設定された状態の前記設定画面を表示することが可能なジョブ実行装置であって、前記リセット手段は、前記ショートカットキーの選択を受け付けて前記設定画面が表示されている間に前記リセット指示を受け付けて、前記複数の設定項目のうち一部の設定項目を除いた設定項目にデフォルト値を設定することを特徴とする。
【発明の効果】
【００１０】
本発明は、ショートカットキーを用いて設定値を設定したのち、リセット指示で設定項目にデフォルト値を設定したときに、一部の設定項目の設定値を改めて設定する手間を抑制することができる。
【図面の簡単な説明】
【００１１】
【図１】本実施形態に記載の画像形成装置の構成を示す図である。
【図２】本実施形態に記載の画像形成装置においてコピージョブ実行時の画面遷移の一例を示す図である。
【図３】本実施形態に記載の画像形成装置において、パスポートコピー実行時の画面遷移の一例を示す図である。
【図４】本実施形態に記載の画像形成装置において、パスポートコピーの実行時にユーザからリセット指示を受け付けた際の画面遷移の一例を示す図である。
【図５】本実施形態に記載の画像形成装置において、リセット対象項目を管理するリセット対象情報テーブルの一例を示す図である。
【図６】本実施形態に記載の画像形成装置において、コピー機能の設定画面２３０を表示するまでの処理を示すフローチャートである。
【図７】第１の実施形態に記載の画像形成装置において、ユーザからのリセット指示を受け付けた際に実行される処理の一例を示すフローチャートである。
【図８】第２の実施形態において、ユーザからのリセット指示を受け付けた際に操作部１２１に表示される画面遷移の一例を示した図である。
【図９】第２の実施形態において、ユーザからのリセット指示を受け付けた際に画像形成装置が実行する処理を示したフローチャートである。
【発明を実施するための形態】
【００１２】
（第１の実施形態）
以下、本発明を実施するための最良の形態について図面を用いて説明する。本実施形態では、ジョブ実行装置の一例として画像形成装置を例に説明をする。また、本実施形態ではショートカットキーとしてパスポートの見開きを複数読み取り、１枚の用紙に集約して印刷するパスポートコピーを例に説明する。本実施形態において、ショートカットキーとは、ユーザが設定値を設定することのできる複数の設定項目のうち、少なくとも一つの設定項目にデフォルト値と異なる設定値を設定するためのキーである。
【００１３】
図１は、本実施形態の画像形成装置１００のシステム構成図を示す図である。
【００１４】
画像形成装置１００は、例えばデジタル電子写真複写機、レーザープリンタ、ファクシミリといったトナーを用いた電子写真式のカラーまたはモノクロの画像形成装置である。本実施形態に係る画像形成装置１００が画像を形成する方式は、電子写真方式に限らない。たとえば、画像形成装置１００がインクジェット方式により画像を形成するとしてもよい。
【００１５】
画像形成装置１００は、コントローラ１０１と、操作部１２１、スキャナ１２２、プリンタ１２３、外部記憶装置１２４、モデム１３３、ＮＩＣ１３４とで構成される。コントローラ１０１は、ＲＯＭ１０２、ＣＰＵ１０３、ＲＡＭ１０４、画像処理部１０５、ＮＶＲＡＭ（ｎｏｎ−ｖｏｌａｔｉｌｅ  ＲＡＭ）１３０を備える。ＣＰＵ１０３は、装置全体の制御及び演算処理等を行う中央処理装置（プロセッサ）であり、ＲＯＭ１０２に記憶されたプログラムに基づき後述に示す各処理を実行する。ＲＯＭ１０２は、読み出し専用メモリであり、システム起動プログラムやプリンタエンジンの制御を行うプログラム及び文字データや文字コード情報等を記憶する。ＲＡＭ１０４は、ランダムアクセスメモリであり、使用制限のないデータ記憶領域である。ＲＡＭ１０４は、様々な処理のプログラムやデータの実行領域として利用される。また、ＲＡＭ１０４は、受信した画像ファイルのデータ記憶領域として利用される。画像処理部１０５はスキャナ１２２により原稿上の画像を読み取ることで得られた画像データに対する画像処理を行う。ＮＶＲＡＭ１３０は、コピーやスキャン等各機能に関する設定項目のデフォルト値や、画像形成装置１００に記憶されたショートカットキーに対応づけられた設定値を記憶する。本実施形態では、ＮＶＲＡＭ１３０を用いてデフォルト値やショートカットキーに対応づけられた設定値を管理するが、フラッシュＲＯＭを用いて、上記の情報を管理するとしてもよい。
【００１６】
操作部１２１は、例えばタッチパネル式の液晶等により構成される。操作部１２１は、装置の設定状態、装置の動作状態、画像データを表示する。また、操作部１２１を介して、印刷設定や読取設定の変更等のユーザ指示や各設定項目にデフォルト値を設定するリセット指示が受け付けられる。上記のように操作部１２１は、ユーザ操作の受付を担う。スキャナ１２２は、光学センサによって紙媒体の原稿上に形成された画像を読み取る読取部である。プリンタ１２３は、プリンタエンジンの各装置（定着装置等）を制御する印刷部である。外部記憶装置１２４は、画像形成装置１００に接続可能な記憶媒体（例えば、ＵＳＢメモリ）である。外部記憶装置１２４は、画像形成装置１００が印刷に用いる画像データを記憶したり、スキャナ１２２が原稿上の画像を読み取ることで生成した画像データを記憶する。本実施形態では、ＣＰＵ１０３はスキャナ１２２やプリンタ１２３を制御してコピージョブやスキャンジョブ等ジョブ実行を制御する。
【００１７】
コントローラ１０１は、さらに各種インタフェース（Ｉ／Ｆ）とシステムバス１１１を備える。操作部Ｉ／Ｆ０１１２は、操作部１２１と画像形成装置１００を接続する。スキャナＩ／１１３は、スキャナ１２２からコントローラ１０１へのデータの供給制御等を行う。プリンタＩ／Ｆ１１４は、コントローラ１０１からプリンタ１２３へのデータの供給制御等を行う。外部装置Ｉ／Ｆ０１１５は、ネットワーク（例えば、ＬＡＮ）やＦＡＸ回線を介して本装置を外部装置１２９と接続する。画像形成装置１００は、外部装置１２９から画像データを取得して、当該画像データを用いて生成される画像を印刷する。デバイスＩ／Ｆ１１６は外部記憶装置１２４と画像形成装置１００を接続する。ファクシミリＩ／Ｆ１３１は、モデム１３３を介して公衆回線（ＰＳＴＮ：Ｐｕｂｌｉｃ  Ｓｗｉｔｃｈｅｄ  Ｔｅｌｅｐｈｏｎｅ  Ｎｅｔｗｏｒｋ）に画像形成装置１００を接続する。画像形成装置１００は、この公衆回線を介して他のファクシミリ装置とファクシミリ情報の送受信が可能である。ネットワークＩ／Ｆ１３２は、有線ＬＡＮや無線ＬＡＮからなるＮＩＣ１３４を制御している。ネットワークＩ／Ｆ１３２は、ネットワークを介してプリントジョブを受信したり、スキャナＩ／Ｆ１１３が取得する画像データの送信を行う。システムバス１１１は、上述の構造要素間のデータ通路である。
【００１８】
本実施形態では、コントローラ１０１内のＣＰＵ１０３が以下に記載の処理を実行するとするが、コントローラ１０１を含むコンピュータが以下の処理を実行するとしてもよい。
【００１９】
図２は、ユーザが画像形成装置１００を起動した後に操作部１２１に表示される「ホーム」画面２００、および、コピー機能を使用するときに操作部１２１に表示される画面の一例を示す図である。
【００２０】
図２（Ａ）は、ユーザが各種機能を使用するためのソフトキーを表示する「ホーム」画面２００である。「ホーム」画面２００は、ユーザが使用する機能を選択するための機能選択画面である。「コピー」２０２は、スキャナ１２２を用いて原稿上の画像を読み取ることで得られた画像データから画像を生成し、生成された画像を用紙に印刷するコピー機能をユーザが使用するためのソフトキーである。「ファクス」２０３は、スキャナ１２２で原稿上の画像を読み取ることで得られた画像データを、ＦＡＸ回線を通して他の情報処理装置に送信するＦＡＸ機能をユーザが使用するためのソフトキーである。「スキャン」２０４は、スキャナ１２２を制御し、原稿上の画像を読み取り画像データを生成する処理である。「メディアプリント」２０５は、外部記憶装置１２４からファイルを読みだしてプリンタ１２３で印刷するダイレクトプリント機能をユーザが使用するためのソフトキーである。「セキュアプリント」２０６はＰＤＬ（Ｐａｇｅ  Ｄｅｓｃｒｉｐｔｉｏｎ  Ｌａｎｇｕａｇｅ）形式のプリントデータを受信してプリンタ１２３で印刷するセキュアプリント機能をユーザが使用するためのソフトキーである。セキュアプリント機能とは、画像処理部１０５がプリントデータから生成した画像データをＲＡＭ１０４に一旦記憶し、ユーザの印刷指示を受けてから印刷する機能である。「メニュー」２０７は画像形成装置１００の各種設定をユーザが行うためのソフトキーである。「アドレス帳」２０８はスキャン機能においてスキャンにより生成された画像データの送信先として設定する送信宛先を記憶する機能をユーザが使用するためのソフトキーである。
【００２１】
「ホーム」画面２００において、ユーザが「コピー」２０２をタップ操作すると、図２（Ｂ）に示すコピー機能の設定画面２３０が操作部１２１に表示される。コピー機能の設定画面２３０とは、ユーザがコピージョブを実行するときに用いられる複数の設定項目に設定値を設定するための画面である。「コピー」２０２のタップ操作に従って操作部１２１に表示されるコピー機能の設定画面２３０は、ＮＶＲＡＭ１３０に記憶されたデフォルト値が設定された設定画面である。
【００２２】
「倍率」２３７は、原稿上の画像を読み取ることにより得られる画像を拡大、縮小して用紙に印刷する場合に設定される設定項目である。図２（Ａ）で「倍率」２３７は、デフォルト値の１００％に設定されている。「用紙」２３６は、画像を印刷する用紙のサイズ、および、用紙の種類を示す設定項目である。ここに表示される用紙サイズは、デフォルト値として設定された給紙トレイに対応づけて記憶されている用紙のサイズである。「濃度」２３８は、画像を用紙に形成するときの色の濃さを示す設定項目である。「濃度」２３８は、値が大きいほど色が濃く、値が小さいほど色が薄いことを示す。「部数」２３９は、コピー機能の利用時に印刷する部数を示す設定項目である。「両面設定」２３１は、原稿が片面印刷か両面印刷か、および、片面印刷か両面印刷かを設定する設定項目である。「ＯＦＦ」は原稿の片面をスキャナで読み取り、用紙の片面に印刷する設定値である。「片両」は原稿の片面をスキャナで読み取り、用紙の両面に印刷する設定値である。「両両」は原稿の両面を読み取って、用紙の片面に印刷する設定値である。「両片」は原稿の両面を読み取って、用紙の片面に印刷する設定値である。「ページ集約」２３２は、原稿の複数ページ分の画像を１枚の用紙に印刷するための設定値である。「２＿１」は原稿２枚分の画像を１枚の用紙の片面に印刷する２ｉｎ１印刷を示す設定値である。「４＿１」は、原稿４枚分の画像を１枚の用紙の片面に印刷する４ｉｎ１印刷を示す設定値である。「その他の設定」は、コピー機能の設定画面２３０では設定することのできない、コピー機能の詳細な設定をするときに用いられる。
【００２３】
「白黒スタート」２３４、「カラースタート」２３５は、原稿を読み取り白黒またはカラーの画像を印刷するコピージョブの実行開始を指示するソフトキーである。ＣＰＵ１０３は、「白黒スタート」２３４、「カラースタート」２３５がタップ操作されたことを検知して、スキャナ１２２、プリンタ１２３を制御してコピージョブを実行する。「リセット」５２２は、コピー機能の設定画面において、ユーザが設定することのできる設定値をＮＶＲＡＭ１３０に記憶されたデフォルト値に設定するためのソフトキーである。
【００２４】
図２（Ｃ）は、コピー機能の設定画面２３０が操作部１２１に表示された後、ユーザが「濃度」２３８、「両面設定」２３１、「ページ集約設定」２３２を設定した後の画面である。ページ集約が設定された場合、ユーザは不図示の方法で読み取る原稿の大きさを設定する。「読取サイズ」２３３は、ページ集約を設定する際にユーザにより設定された設定値であり、スキャナ１２２が原稿を読み取る領域の大きさを示す設定値である。ページ集約が設定されていない場合、原稿の読取サイズは「用紙」２３６に表示されている大きさと同じ大きさである。図２（Ｃ）の「倍率」２３７に表示される倍率は、「用紙」２３６、「読取サイズ」２３３において設定された用紙の大きさと読取サイズにより決定される大きさである。ここでは、Ａ４サイズ２枚分の画像をＡ４の用紙に印刷するため、「倍率」２３７は５０％となる。
【００２５】
図２（Ｄ）は、図２（Ｃ）においてユーザが「リセット」５２２をタップ操作した後に、操作部１２１に表示される画面である。ユーザが「コピー」２０３をタップ操作した後、コピージョブの設定値を設定した場合、「リセット」５２２がタップ操作されたことに従って全ての設定項目にＮＶＲＡＭ１３０に記憶されたデフォルト値が設定される。そのため、図２（Ｄ）では、「濃度」２３８が「±０」、「両面設定」２３１が「ＯＦＦ」、「ページ集約設定」２３３が「ＯＦＦ」に設定される。そして、「読取サイズ」２３３は「ページ集約設定」２３３が「ＯＦＦ」に設定されるため、非表示となる。即ち、「読取サイズ」２３３は「用紙」２３６と同じＡ４に設定される。
【００２６】
図３は、本実施形態に記載の画像形成装置１００において、ユーザが「パスポートコピー」２０１のショートカットキー機能を使用する場合に操作部１２１に表示される画面を示した図である。本実施形態において、ユーザがショートカットキーをタップ操作すると、ユーザが設定値を設定することのできる設定項目のうち、少なくとも一つの設定項目にデフォルト値と異なる設定値が設定された状態のコピー画面２３０が表示される。
【００２７】
ユーザが「パスポートコピー」２０１をタップ操作すると、操作部１２１に図３（Ａ）に示すパスポートコピー用の設定画面２１０が表示される。パスポートコピー用の設定画面２１０は、ページ集約設定と両面設定の組み合わせを設定する画面である。パスポートコピー用の設定画面２１０は、ページ集約設定と両面設定の代表的な組み合わせを表示する。ページ集約設定と両面設定の代表的な組み合わせとは、２ページ分の画像を１枚の用紙に集約する「２ｉｎ１」や４ページ分の画像を１枚の用紙に集約する「４ｉｎ１」、さらにそれらを用紙の両面で印刷をする「２ｉｎ１（両面）」「４ｉｎ１（両面）」がある。「パスポートコピー」２０１は、ユーザがパスポートの見開きを複数ページ分集約して印刷するときの機能である。そのため、パスポートコピー用の設定画面２１０は、ページ集約設定を「ＯＦＦ」にする設定をユーザから受け付けない。
【００２８】
ユーザは設定画面２１０に表示された代表的な組み合わせから、パスポートコピーで使用する設定値の組み合わせを選択する。このようにすることで、ページ集約と、両面の設定とを同時に設定可能である。たとえば、ユーザが「２ｉｎ１（両面）」を選択した場合、スキャナ１２２で原稿を読み取ることで生成された画像が２ページ分ずつ用紙の両面に印刷される。
【００２９】
ここで、ユーザがページ集約設定と両面設定の組み合わせをタップ操作すると、操作部１２１に図３（Ｂ）に示す出力サイズの設定画面２２０が表示される。出力サイズの設定画面２２０は、画像を印刷する用紙のサイズを設定する画面である。たとえば、ユーザが「１：Ａ４／普通紙」を選択した場合、カセット１に設置されたＡ４サイズ普通紙に画像を印刷する。
【００３０】
ここで、ユーザがカセット１のＡ４サイズ２２１を選択すると、操作部１２１に図３（Ｃ）に示すコピー機能の設定画面２３０が表示される。図３（Ｃ）に示すコピー機能の設定画面２３０は、図２（Ｄ）に示すコピー機能の設定画面２３０と同様の画面である。ただし、図３（Ｃ）に示すコピー機能の設定画面２３０は、「両面設定」２３１、および、「ページ集約設定」２３２に、設定画面２１０で設定された設定値が設定された画面である。すなわち、「両面設定」２３１が「片両」に設定され、「ページ集約設定」２３２は「２＿１」に設定される。
【００３１】
「読取サイズ」２３３は、スキャナ１２２が原稿を読み取るサイズを示す設定項目である。パスポートコピーのショートカットキーが用いられた場合、「読取サイズ」２３３は「パスポート」サイズに設定される。「パスポート」サイズとは、パスポートを見開きにしたときの大きさであり、１３０ミリ×１８０ミリである。このように「パスポート」サイズは、通常の定型用紙サイズと異なる大きさである。
【００３２】
「用紙」２３６には、スキャンした画像を印刷する際に用いられる用紙が表示される。用紙２３６に表示される用紙は、出力サイズの設定画面２２０において設定された用紙サイズである。「倍率」２３７に設定される設定値は、読取サイズと用紙サイズとページ集約設定から求められる。本実施形態では、読取サイズがパスポート、用紙がＡ４、ページ集約設定が２ｉｎ１である。したがって、「倍率」２３７には、Ａ４用紙にパスポートサイズの画像を画像の縦横比を変えることなく２ページ分印刷するときの倍率が設定される。ユーザが「倍率」２３７をタップ操作して、任意の値に倍率を変更することもできる。
【００３３】
次に、図４を用いてユーザが「リセット」５２２をタップ操作したときの画像形成装置１００の動作を説明する。
【００３４】
図４（Ａ）は、図３（Ｃ）が操作部１２１に表示された後、ユーザがさらに「濃度」２３８、「両面設定」２３１、「ページ集約設定」２３２を設定したときに表示されるコピー機能の設定画面２３０である。「濃度」２３８は「±０」から「＋４」に設定値が変更されている。「両面設定」２３１は「片両」から「両両」に変更されている。「ページ集約設定」２３２は「２＿１」から「４＿１」に変更されている。さらに、「ページ集約設定」２３２を変更する際、「読取サイズ」２３３が「Ａ４」に変更された。さらに、「読取サイズ」２３３が変更されたため、「倍率」２３７が「５０％」に変更された。
【００３５】
図４（Ｂ）は、図４（Ａ）においてユーザが「リセット」５２２をタップ操作したときに操作部１２１に表示される画面である。「リセット」５２２がタップ操作されたことに従って、「濃度」２３８はデフォルト値に設定される。一方、「倍率」２３７、「用紙」２３６、「両面設定」２３１、「ページ集約設定」２３２は図３（Ｃ）と同様の設定値が設定される。このように、「パスポートコピー」２０１でユーザが「リセット」５２２をタップ操作すると、読取サイズをパスポートサイズとし、パスポートコピーの設定画面２１０、出力サイズの設定画面２２０で設定された設定値の反映された画面が表示される。
【００３６】
上記のように本実施形態では、ユーザがデフォルト値と異なる設定値が設定されたショートカットキーを用いてコピージョブの設定値を設定する場合、ユーザからの設定値のリセット指示に従って、一部の設定項目を除く設定項目にデフォルト値が設定される。一部の設定項目とは、ショートカットキー対応づけて設定値が記憶されている設定項目に加え、ユーザがショートカットキーを選択してから、コピー機能の設定画面２３０が表示されるまでに設定された設定項目を含む。本実施形態では、ショートカットキーを用いて設定される読取サイズに加え、パスポートコピー専用の設定画面２１０で設定される両面設定やページ集約設定、出力サイズの設定画面２２０で設定される用紙設定が含まれる。また、ショートカットキーを選択してから、コピー機能の選択画面２３０が表示されるまでに設定された設定項目から決定される設定項目を含む。たとえば、本実施形態では出力サイズとページ集約設定により決定される倍率を含む。
【００３７】
次に、図５を用いて、コピー機能において、「リセット」５２２がタップ操作された際にリセットされる設定項目について説明する。図５（Ａ）は、パスポートコピーと通常のコピー機能において「リセット」５２２がタップ操作された際に、デフォルト値に設定される設定項目を示すリセット対象項目テーブル４００である。リセット対象項目テーブル４００はＮＶＲＡＭ１３０に記憶される。
【００３８】
列４０１は設定項目を示している。列４０２はパスポートコピーにおいて「リセット」５２２がタップ操作された際に各設定項目にデフォルト値が設定されるか否かを示している。列４０３はコピー機能において「リセット」５２２がタップ操作された際に各設定項目にデフォルト値が設定されるか否かを示している。
【００３９】
「○」は、当該設定項目がリセットの対象となる設定項目であることを示す。一方「×」は当該設定項目がリセットの対象とならない設定項目であることを示している。たとえば、パスポートコピーでは、「読取サイズ」「ページ集約」「両面設定」「用紙サイズ」「倍率」はリセットの対象外である。上記の設定項目は、「リセット」５２２がタップ操作されても、デフォルト値に設定されない。上記の設定は、コピー機能で設定する設定項目のうち、パスポートコピーを行うときにユーザがよく設定値を変更するであろう設定項目である。一方で、「リセット」５２２がタップ操作されたことに従って、ＮＶＲＡＭ１３０に記憶された「濃度」「部数」「その他の設定」のデフォルト値がそれぞれの設定項目に設定される。コピー機能では、「読取サイズ」「ページ集約」「両面設定」「用紙サイズ」「倍率」「濃度」「部数」「その他の設定」のいずれの設定項目もリセット対象の設定項目である。即ち、「リセット」５２２がタップ操作された際、上記の設定項目についてＣＰＵ１０３がＮＶＲＡＭ１３０に記憶されたデフォルト値を読み出して設定する。本実施形態では、リセット対象項目テーブルがそれぞれの設定項目に対して、デフォルト値へのリセット対象であるか否かを記憶する。リセット対象項目テーブルがデフォルト値へのリセット対象外となる項目のみを記憶するとしてもよい。
【００４０】
画像形成装置１００は、ユーザからリセット指示を受け付けて、図５（Ａ）に示すリセット対象項目テーブルに記憶されたリセット対象外の設定項目にデフォルト値を設定することなく、他の設定項目にデフォルト値を設定する。このようにすることで、リセット指示に従って、ショートカットキーに対応づけられた設定項目にデフォルト値が設定されることを防ぐことができる。
【００４１】
図５（Ｂ）は、コピー機能のデフォルト値および、パスポートコピーのショートカットキーに対応づけて記憶される設定項目と設定値を記憶するテーブルである。図５（Ｂ）に記載のテーブルはＮＶＲＡＭ１３０に記憶されている。列４５０は各機能の名称および、ショートカットキーの名称である。列４５１は各機能、各ショートカットキーに対応づけて記憶される設定項目と当該設定項目の設定値である。図５（Ｂ）より、コピーの基本設定は、倍率「１００％」、用紙「Ａ４」、濃度「±０」、部数「１部」、両面設定「ＯＦＦ」、ページ集約設定「ＯＦＦ」であることがわかる。さらに、パスポートコピーのショートカットキーでは、読取サイズがパスポートに設定されている。
【００４２】
図６のフローチャートを用いて、本実施形態において、コピー機能の設定画面２３０を操作部１２１に表示するまでの処理を説明する。図６に記載の処理を実行するためのプログラムはＲＯＭ１０２に記憶されており、ＣＰＵ１０３がＲＯＭ１０２に記憶されたプログラムを読み出して実行することにより処理が実現される。
【００４３】
ＣＰＵ１０３は、操作部１２１に「ホーム」画面２００を表示する（Ｓ６０１）。その後、ＣＰＵ１０３は、「コピー」２０２がタップ操作されたか否かを判定する（Ｓ６０２）。「コピー」２０２がタップ操作された場合、ＣＰＵ１０３はＮＶＲＡＭ１３０からコピー機能において使用される全ての設定項目のデフォルト値を取得してＲＡＭ１０４に記憶する（Ｓ６０３）。そして、ＣＰＵ１０３は、Ｓ６１０以降で後述する処理を実行する。
【００４４】
その後、ＣＰＵ１０３は、「パスポートコピー」２０１がタップ操作されたか否かを判定する（Ｓ６０４）。「パスポートコピー」２０１がタップ操作されていないと判定された場合、ＣＰＵ１０３は、Ｓ６０２に処理を戻す。「パスポートコピー」２０１がタップ操作されたと判定された場合、ＣＰＵ１０３は、操作部１２１に図３（Ａ）に記載のパスポートコピー用の設定画面２１０を表示する（Ｓ６０５）。
【００４５】
その後、ＣＰＵ１０３は、設定値が選択されたか否かを判定する（Ｓ６０６）。パスポートコピー用の設定画面２１０に表示された両面設定とページ集約設定の組から設定値が選択されていない場合、ＣＰＵ１０３はＳ６０６に記載の処理を引き続き行う。パスポートコピー用の設定画面２１０に表示された両面設定とページ集約設定の組から設定値が選択された場合、ＣＰＵ１０３は操作部１２１に出力サイズの設定画面２２０を表示する（Ｓ６０７）。
【００４６】
ＣＰＵ１０３は、出力サイズの設定画面２２０において、出力サイズが選択されたか否かを判定する（Ｓ６０８）。出力サイズが選択されていない場合、ＣＰＵ１０３はＳ６０８に記載の処理を引き続き実行する。出力サイズが選択された場合、ＣＰＵ１０３はＳ６０９に後述する処理を実行する。
【００４７】
ＣＰＵ１０３は、Ｓ６０６、Ｓ６０８において選択された両面設定、ページ集約設定、出力サイズの設定値および、読取サイズとして「パスポート」をＲＡＭ１０４に記憶させる（Ｓ６０９）。その後、ＣＰＵ１０３はＲＡＭ１０４に記憶された設定値を読み出して、コピー機能の設定画面２３０を生成し、図３（Ｃ）に記載のコピー機能の設定画面２３０を操作部１２１に表示する（Ｓ６１０）。
【００４８】
そして、ＣＰＵ１０３は、ＲＡＭ１０４に記憶されている読取サイズがパスポートコピーに対応づけて記憶される読取サイズと等しいか否かを判定する（Ｓ６１１）。たとえば、「ホーム」画面２００においてパスポートコピーが選択された場合、ＲＡＭ１０４に記憶された読取サイズはＮＶＲＡＭ１３０に記憶されたパスポートコピーの読取サイズと同じである。一方、「ホーム」画面２００において、ユーザが「コピー」２０２をタップ操作してコピー機能の設定画面２３０を表示する場合、読取サイズはパスポートコピーの読取サイズと異なる。本実施形態では、Ｓ６１１において、ＲＡＭ１０４に記憶される読取サイズが、ショートカットキーに対応づけて記憶される読取サイズと同じか否かに基づいて判定する。Ｓ６１１において、ＲＡＭ１０４に記憶されているジョブの設定値が全てデフォルト値であるか否かを判定するとしてもよい。このとき、ＲＡＭ１０４に記憶されている設定値が全てデフォルト値であれば本フローチャートに記載の処理を終了する。一方で、少なくとも一部の設定項目の設定値がデフォルト値と異なる場合、当該設定はショートカットキーを用いて設定された設定値であるため、ＣＰＵ１０３は後述のＳ６１２、Ｓ６１３の処理を実行する。
【００４９】
読取サイズとして「パスポート」が設定されていない場合、ＣＰＵ１０３は本フローチャートに記載の処理を終了する。一方で、読取サイズとして「パスポート」が設定されている場合、ＣＰＵ１０３はＮＶＲＡＭ１３０のリセット対象項目テーブルを参照し、リセット対象外の設定項目をＲＡＭ１０４に記憶する（Ｓ６１２）。そして、ＲＡＭ１０４に記憶されたリセット対象外の設定項目の設定値をＲＡＭ１０４に記憶する（Ｓ６１２）。Ｓ６１２において、ＣＰＵ１０３が設定値を記憶する領域は、Ｓ６０９においてＣＰＵ１０３が設定値を記憶させた領域とは異なる領域であり、「リセット」５２２がタップ操作されたときに読み出す設定値を記憶する領域である。Ｓ６１２においてＲＡＭ１０４に記憶したリセット対象外の設定項目および、Ｓ６１３においてＲＡＭ１０４に記憶した設定値は、ユーザがコピー機能の使用を終了した後にＲＡＭ１０４から削除される。
【００５０】
次に、図７のフローチャートを用いて、リセットボタン押下時に画像形成装置１００が実行する処理を説明する。図７に記載の処理を実行するためのプログラムはＲＯＭ１０２に記憶されており、ＣＰＵ１０３がＲＯＭ１０２に記憶されたプログラムを実行することにより処理が実現される。
【００５１】
ＣＰＵ１０３は「リセット」５２２がタップ操作されたか否かを判定する（Ｓ６５１）。「リセット」５２２がタップ操作されていない場合、ＣＰＵ１０３は本フローチャートに記載の処理を終了する。「リセット」５２２がタップ操作された場合、ＣＰＵ１０３は、ＲＡＭ１０４にリセット対象外項目が記憶されているか否かを判定する（Ｓ６５２）。ＲＡＭ１０４にリセット対象外の設定項目が記憶されている場合、ＣＰＵ１０３は、リセット対象外の設定項目の設定値をＲＡＭ１０４から取得する（Ｓ６５３）。さらに、ＣＰＵ１０３は、リセット対象の設定項目の設定値をＮＶＲＡＭ１３０から取得する（Ｓ６５４）。
【００５２】
Ｓ６５２において、ＲＡＭ１０４にリセット対象外の設定項目が記憶されていない場合、ＣＰＵ１０３は全ての設定項目のデフォルト値をＮＶＲＡＭ１３０から読み出す（Ｓ６５５）。
【００５３】
そして、ＣＰＵ１０３は、Ｓ６５３およびＳ６５４で取得した設定値、または、Ｓ６５５において取得した設定値の設定されたコピー機能の設定画面２３０を操作部１２１に表示する（Ｓ６５６）。その後ＣＰＵ１０３は、本フローチャートに記載の処理を終了する。
【００５４】
第１の実施形態では、ショートカットキー毎に、デフォルト値へのリセット対象となる設定項目とデフォルト値へのリセット対象外となる設定項目を予め記憶する。そして、設定項目の設定値をデフォルト値に設定するリセット指示を受け付けて、リセット対象外に設定された設定項目にデフォルト値を設定せず、リセット対象の設定項目にデフォルト値を設定する。このようにすることで、ショートカットキーに対応づけられた設定項目にデフォルト値が設定されることを防ぐことができる。そのため、ショートカットキーを用いて設定値の設定を行ったユーザが、当該ショートカットキーに対応づけられた設定項目の設定値を再度設定する手間が抑制できる。
【００５５】
また、第１の実施形態では、ショートカットキーを用いて設定した設定項目および、ショートカットキー専用の設定画面で設定した設定項目の設定値を記憶する。そして、ユーザからのリセット指示に従って、リセット対象外の設定項目に記憶した上記の設定値を設定する。このようにすることで、ユーザはショートカットキーを用いて設定を始めたときのコピー機能の設定画面２３０から、再度、設定を開始することができる。
【００５６】
（第２の実施形態）
第１の実施形態では、ユーザがショートカットキーから設定項目の設定値を設定する際、当該ショートカットキーを用いて設定される設定項目を、ユーザのリセット指示に基づいてデフォルト値に設定する対象から除くとした。
【００５７】
第２の実施形態では、コピー機能の設定画面２３０において設定値を設定することなく、ユーザが設定値のリセットを指示した場合、リセット対象外の設定項目にデフォルト値を設定するか否かをユーザが選択する。このようにすることで、ショートカットキーをタップ操作した後に表示されるコピー機能の設定画面２３０において、リセット対象の設定項目にデフォルト値を設定することができる。
【００５８】
第２の実施形態における画像形成装置１００のシステム構成図は第１の実施形態と同様であるため説明を省略する。また、「ホーム」画面２００において、ユーザが「コピー」２０２または、「パスポートコピー」２０１を選択したときの画像形成装置１００の動作は第１の実施形態と同様であるため説明を省略する。
【００５９】
図８を用いて、第２の実施形態において、ユーザが「パスポートコピー」２０１を選択した後のコピー機能の設定画面２３０において、「リセット」５２２をタップ操作した場合に操作部１２１に表示される画面遷移を説明する。
【００６０】
図８（Ａ）は、ユーザがパスポートコピーの設定画面２１０および出力サイズの設定画面２２０において設定した設定値を反映したコピー機能の設定画面２３０である。ユーザが当該画面において、いずれの設定項目の設定値も変更することなく「リセット」５２２をタップ操作したとする。
【００６１】
すると、操作部１２１に図８（Ｂ）に示すポップアップ画面１００１が表示される。ポップアップ画面１００１は、全ての設定項目にデフォルト値を設定するか否かをユーザに選択させる画面である。ユーザが「はい」１００２をタップ操作した場合、操作部１２１には図８（Ｃ）に示すように全ての設定項目にデフォルト値が設定されたコピー機能の設定画面２３０が表示される。一方で、ユーザが「いいえ」１００３を選択した場合、操作部１２１は第１の実施形態と同様にリセット対象の設定項目にデフォルト値が設定された図８（Ａ）と同じコピー機能の設定画面２３０が表示される。
【００６２】
第２の実施形態においてユーザが「コピー」２０２または「パスポートコピー」２０１をタップ操作したときに実行される処理は、第１の実施形態の図６と同様であるため、説明を省略する。
【００６３】
図９のフローチャートを用いて、第２の実施形態において、「リセット」５２２がタップ操作されたときに行われる処理を説明する。図９に記載の処理を実行するためのプログラムはＲＯＭ１０２に記憶されており、ＣＰＵ１０３がＲＯＭ１０２に記憶されたプログラムを読み出して、実行することにより図９に記載の処理が実現される。Ｓ６５１〜Ｓ６５６に記載の処理は第１の実施形態と同様であるため、説明を省略する。
【００６４】
Ｓ６５２において、ＲＡＭ１０４にリセット対象外の設定項目が記憶されている場合、ＣＰＵ１０３はＳ６５３、Ｓ６５４に記載の処理を実行する。そして、ＣＰＵ１０３はＳ６５３においてＲＡＭ１０４から取得された設定値が現在、操作部１２１に表示されているコピー機能の設定画面２３０で表示される設定値と同じであるかを判定する（Ｓ９０１）。ＲＡＭ１０４から取得された設定値と現在の設定値が異なる場合、ＣＰＵ１０３は処理をＳ６５６に進める。一方で、ＲＡＭ１０４から取得された設定値と現在設定されている設定値が同じ場合、ＣＰＵ１０３は、操作部１２１に全ての設定項目にデフォルト値を設定するか否かをユーザに選択させるポップアップ画面１００１を表示する（Ｓ９０２）。ＣＰＵ１０３は、「はい」１００２がタップ操作されたか否かを判定する（Ｓ９０３）。
【００６５】
ユーザによる「はい」１００２のタップ操作を受け付けた場合、ＣＰＵ１０３はＳ６５５に記載の処理を実行する。
【００６６】
「はい」１００２のタップ操作を受け付けていない場合、ＣＰＵ１０３は「いいえ」１００３がタップ操作されたか否かを判定する（Ｓ９０４）。ユーザによる「いいえ」１００３のタップ操作が受け付けられた場合、ＣＰＵ１０３はＳ６５６に記載の処理を実行する。Ｓ９０４において、「いいえ」１００３のタップ操作がされたと判定されない場合、ＣＰＵ１０３は処理をＳ９０３に戻す。
【００６７】
第２の実施形態では、ユーザが「リセット」５２２をタップ操作したときの設定値がＲＡＭ１０４に記憶された設定値と同じであるか否かを比較する。そして、使用されたショートカットキーに対応づけられた所定の設定項目の設定値が変更されていないにも関わらず「リセット」５２２がタップ操作された場合、全ての設定項目にデフォルト値を設定するか否かをユーザに選択させる。このようにすることで、ユーザがショートカットキーからコピー機能の設定を開始した場合であっても、リセット対象外の設定項目を含め全ての設定項目にデフォルト値を設定することができる。
【００６８】
（その他の実施形態）
第１、第２の実施形態において、読取サイズがパスポートに設定されているか否かをＣＰＵ１０３が取得して、ＲＯＭ１０２に記憶されるリセット対象外の設定項目をＲＡＭ１０４に記憶するか否かを判定した。しかしながら、「パスポートコピー」２０１等のショートカットキーが使用されたか否かを示すフラグをＲＡＭ１０４に記憶することとしてもよい。当該フラグのデフォルト値をＯＦＦとし、図６のＳ６０４において「パスポートコピー」がタップ操作されたことを受け付けた後、ＣＰＵ１０３がＲＡＭ１０４に記憶される当該フラグをＯＮに設定する。Ｓ６１１において、ＣＰＵ１０３がＲＡＭ１０４に記憶された当該フラグを参照し、フラグがＯＮであればＣＰＵ１０３がＳ６１２以降の処理を実行し、フラグがＯＦＦであればＣＰＵ１０３は本フローチャートに記載の処理を終了するとしてもよい。
【００６９】
また、第１、第２の実施形態では、読取サイズとして「パスポート」が設定されるショートカットキーについて説明した。第１、第２の実施形態をパスポートコピー以外のショートカットキーに適用するとしてもよい。たとえば、ＩＤカードの両面を１枚の用紙に印刷する「ＩＤカードコピー」というショートカットキーを予め用意し、倍率とページ集約設定をリセット対象外の設定項目としてもよい。また、ショートカットキーとして登録する設定項目および、設定値をユーザが設定することができるとしてもよい。このとき、設定値がデフォルト値から変更された設定項目をデフォルト値へのリセット対象外とする。一方で、設定値がデフォルト値と同じに設定されている設定項目をデフォルト値へのリセット対象の設定項目とする。たとえば、ユーザが「２ｉｎ１、片両」を設定して当該設定をショートカットキーに登録したとする。このとき、画像形成装置１００は、ページ集約設定と両面設定をデフォルト値へのリセット対象外の設定項目としてＮＶＲＡＭ１３０のリセット対象項目テーブルに記憶する。また、ＣＰＵ１０３は、図５（Ｂ）に示すテーブルに「ページ集約設定＝２ｉｎ１、両面＝両両」と記憶する。
【００７０】
第１、第２の実施形態では、「リセット」５２２がタップ操作されたことに従って、リセット対象外の設定項目の設定値を図６Ｓ６０９でＲＡＭ１０４に記憶した設定値に設定した。「リセット」５２２がタップ操作されたことに従って、リセット対象の設定項目の設定値をデフォルト値に設定し、リセット対象外の設定項目の設定値は変更しないとしてもよい。
【００７１】
本発明は、以下の処理を実行することによっても実現される。即ち、上述した実施例の機能を実現するソフトウェア（プログラム）をネットワーク又は各種記憶媒体を介してシステム或いは装置に供給し、そのシステム又は装置のコンピュータ（又はＣＰＵやＭＰＵ等）がプログラムコードを読み出して実行する処理である。この場合、そのコンピュータプログラム、及び該コンピュータプログラムを記憶した記憶媒体は本発明を構成することになる。
【図１】
2019077060.tif 000003
【図２】
2019077060.tif 000004
【図３】
2019077060.tif 000005
【図４】
2019077060.tif 000006
【図５】
2019077060.tif 000007
【図６】
2019077060.tif 000008
【図７】
2019077060.tif 000009
【図８】
2019077060.tif 000010
【図９】
2019077060.tif 000011